(57)【要約】【解決手段】ボトルに取り付けるためのシールされた貯蔵用キャップは、別の環状部内部に滑るように受け入れられる環状部を備え、穴開け可能なシールによって封止される閉鎖された貯蔵部を二つの環状部の間に画成する。【選択図】図１
2011500473.tif 000002
【特許請求の範囲】
【請求項１】
一端にキャップがされており、外径上の第１突起部と第１凹部とが形成された第１中空部と、
前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部であって、内径の周囲の第２突起部と前記第１突起部を受け入れる第２凹部とで前記第２中空部が形成されており、前記第１中空部の外径上の前記第１凹部に対して前記第２突起部が係合することによって封止される第１環状空間を前記二つの中空部の間に画成する、第２中空部と、
前記第２中空部の外側に配置されしっかりと取り付けられ、二つの中空部の間に第２環状空間を形成する環状部であって、前記第２環状空間のボトルネック部とねじ込み式で係合して前記穴開け可能なシールをボトル内に配置するように内径の周りに延びるねじ山で形成された、環状部と、
を備えることを特徴とするシールされた貯蔵用キャップ。
【請求項２】
キャップのされていない端部が前記穴開け可能なシールの一部を押しのけるように、前記穴開け可能なシールが弱い分割ライン（scored line）を有することを特徴とする請求項１に記載のシールされた貯蔵用キャップ。
【請求項３】
キャップのされていない端部が楕円で形成されることを特徴とする請求項１に記載のシールされた貯蔵用キャップ。
【請求項４】
前記閉鎖された貯蔵部内での内容物の劣化を防止するように選択された材料で製造されることを特徴とする請求項１に記載のシールされた貯蔵用キャップ。
【請求項５】
前記閉鎖された貯蔵部が乾燥した内容物または液体内容物を収容することを特徴とする請求項１に記載のシールされた貯蔵用キャップ。
【請求項６】
前記穴開け可能なシールの除去時に、前記閉鎖された貯蔵部の内容物が放出されることを特徴とする請求項５に記載のシールされた貯蔵用キャップ。
【請求項７】
前記第１中空部、前記第２中空部および前記環状部が一つの連続する材料片であることを特徴とする請求項１に記載のシールされた貯蔵用キャップ。
【請求項８】
前記第１中空部、前記第２中空部および前記環状部が二つ以上の材料片であることを特徴とする請求項１に記載のシールされた貯蔵用キャップ。
【請求項９】
前記第１中空部および前記第２中空部の内部に二つ以上の閉鎖された貯蔵部が存在することを特徴とする請求項１に記載のシールされた貯蔵用キャップ。
【請求項１０】
一端にキャップがされた第１中空部と、
前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部と、
前記二つの中空部を軸方向に固定し間隔の離れた状態に保持する取り外し可能な環状シールであって、該取り外し可能な環状シールを取り外すと、前記第１中空部を前記第２中空部の中へと押し込み、係止手段と前記第１中空部のキャップのされていない端部とを係合させて前記穴開け可能なシールを押しのけられるようになる、取り外し可能な環状シールと、
前記第２中空部の外側に配置されしっかりと取り付けられ、二つの中空部の間に第１環状空間を形成する環状部であって、第２環状空間のボトルネック部とねじ込み式で係合し、前記穴開け可能なシールをボトル内に配置するように内径の周りに延びるねじ山で形成された環状部と、
を備えることを特徴とするシールされた貯蔵用キャップ。
【請求項１１】
前記第１中空部が外径上に第１突起部をさらに備え、前記第２中空部が前記第１突起部を受け入れる第２凹部をさらに備え、前記第１中空部が前記第２中空部の中へと押し込まれるとき、前記第１突起部が前記第２凹部と係合して前記係止手段を形成することを特徴とする請求項１０に記載のシールされた貯蔵用キャップ。
【請求項１２】
環状シールをさらに備え、
前記第１中空部が外径の周りに第１凹部を有するように形成され、前記第２中空部が内径の周りに第２突起部を有するように形成され、前記第１凹部内への前記第２突起部の係合によって封止される第２環状空間が前記二つの中空部の間に画成されることを特徴とする請求項１０または１１に記載のシールされた貯蔵用キャップ。
【請求項１３】
一端にキャップがされており、外径の周囲に第１凹部が形成された第１中空部と、
前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部であって、内径の周囲に第２突起部がさらに形成されており、前記第１中空部の外径上の前記第１凹部に対して前記第２突起部が係合することによって封止される第１環状空間を前記二つの中空部の間に形成する、第２中空部と、
前記二つの中空部を軸方向に固定し間隔の離れた状態に保持する取り外し可能な環状シールであって、該取り外し可能な環状シールを取り外すと、前記第１中空部を前記第２中空部の中へと押し込み、前記第１中空部のキャップのされていない端部が前記穴開け可能なシールを押しのけられるようになる、取り外し可能な環状シールと、
前記第２中空部の外側に配置されしっかりと取り付けられ、二つの中空部の間に第２環状空間を形成する環状部であって、第２環状空間のボトルネック部とねじ込み式で係合し、前記穴開け可能なシールをボトル内に配置するように内径の周りに延びるねじ山で形成された環状部と、
を備えることを特徴とするシールされた貯蔵用キャップ。
【請求項１４】
前記第１中空部が外径上に第１突起部をさらに備え、前記第２中空部が前記第１突起部を受け入れる第２凹部をさらに備え、前記第１中空部が前記第２中空部の中へと押し込まれるとき、前記第１突起部が前記第２凹部と係合して前記係止手段を形成することを特徴とする請求項１３に記載のシールされた貯蔵用キャップ。
【請求項１５】
一端にキャップがされており、外径上に第１突起部と第１凹部とを有する第１中空部を形成するステップと、
前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部を形成するステップと、
前記第２中空部の内径の周囲に第２突起部を形成するステップと、
前記第１突起部をその中に受け入れる第２凹部を形成するステップと、
前記二つの中空部の間に第１環状空間を形成するステップと、
前記第２突起部と前記第１凹部との係合によって前記第１環状空間を封止するステップと、
前記二つの中空部を軸方向に固定し間隔の離れた状態に保持するように配置された取り外し可能な環状シールを形成するステップと、
前記第１中空部が前記第２中空部の中へと押し込まれ、前記第１突起部が前記第２凹部へと受け入れられ、前記取り外し可能なシールを取り外すことで第１環状部のキャップのされていない端部が前記取り外し可能なシールを押しのけるようにするステップと、
前記第２中空部の外側に配置されしっかりと取り付けられる環状部を形成して、二つの中空部の間に第２環状空間を画成するステップと、
前記第２環状空間のボトルネック部と係合し、前記穴開け可能なシールをボトル内に配置するように、第３環状部の内径の周りに延びるねじ山を形成するステップと、
を含む、シールされた貯蔵用キャップを形成する方法。
【請求項１６】
前記キャップのされていない端部が前記穴開け可能なシールの一部のみを押しのけるように弱いラインを付けるステップをさらに含む請求項１５に記載の方法。
【請求項１７】
前記キャップのされていない端部を楕円で形成するステップをさらに含む請求項１５に記載の方法。
【請求項１８】
前記閉鎖された貯蔵部内部での内容物の劣化を防止するように選択された材料で前記シールされた貯蔵用キャップを形成するステップをさらに含む請求項１５に記載の方法。
【請求項１９】
前記第１中空部、前記第２中空部および前記環状部が一つの連続する材料片であることを特徴とする請求項１５に記載の方法。
【請求項２０】
前記第１中空部、前記第２中空部および前記環状部が二つ以上の材料片であることを特徴とする請求項１５に記載の方法。
【請求項２１】
前記第１中空部および前記第２中空部によって画成される二つ以上の閉鎖された貯蔵部を形成するステップをさらに含む請求項１５に記載の方法。
【請求項２２】
シールされた貯蔵用キャップをボトルに取り付ける前に、殺菌、濾過、低温殺菌およびそれらの組合せのグループから選択された一つをボトル容器の内容物に対して実行するステップを含む、請求項１５に記載のシールされた貯蔵用キャップを使用してボトルに粉末または液体を供給する方法。
【請求項２３】
前記ボトルの内容物と放出された貯蔵部の内容物を混合するステップをさらに含む請求項２２に記載の方法。
【請求項２４】
前記取り外し可能なシールを取り外す前に、前記シールされた貯蔵用キャップを前記ボトルから取り除き、前記ボトル容器の内容物を加熱するステップを含む請求項２２に記載の方法。
【請求項２５】
前記二つの中空部を軸方向に固定し間隔の離れた状態に保持する取り外し可能な環状シールであって、該取り外し可能な環状シールを取り外すと、前記第１中空部を前記第２中空部の中へと押し込み、前記第１突起部が前記第２凹部に受け入れられ、前記第１中空部の前記キャップのされていない端部が前記穴開け可能なシールを押しのけられるようになる、取り外し可能な環状シールをさらに備える請求項１に記載のシールされた貯蔵用キャップ。
【発明の詳細な説明】
【技術分野】
【０００１】
本記載は飲料の分野に関し、より詳細には、キャップの内容物を保存し流体を収納するボトル内にキャップの内容物を投入可能である、簡易な構成で区画が設けられたボトルキャップに関する。このキャップは、以下の従来技術、すなわち台湾特許Ｍ２８９０４９、米国特許第７，２４９，６９０号、および米国特許出願公開第２００５／０２１１５７９号とは大きく異なる。
【背景技術】
【０００２】
水、炭酸飲料、ジュースを含むボトル入り飲料は、数十億ドル規模の世界的な産業である。このような飲料の保管および販売のために使用される主要な容器は、プラスチック製のボトルである。プラスチックボトルは、低コスト、軽量、使いやすさ、耐久性を含む様々な要因のために、このように広く行き渡るようになった。プラスチックボトルは、通常その上部がプラスチックキャップで閉じられており、通常はある種の安全シールが付けられている。キャップをひねるかねじることでキャップを外し、ボトル内の飲料を露出させることができる。この種のキャップはスポーツボトルキャップなどの可動弁を備えていることが多い。可動弁によりボトルを密閉することができ、また可動弁をストローのように飲用の補助として用いることができる。
【０００３】
水溶性のドリンクミックスが幅広く商業利用されている。多くはタブレット状または粉末状であるこれらのミックスは、単に水を加えるだけで消費者が飲み物を作ることを可能にする。飲み物を作るために、消費者は水に対して指示された量または望ましい量のミックスを計測する。普通のプラスチック製の水ボトルでは、このような混合は実際的でない。なぜなら、狭い開口部を通して粉末を投入することが困難だからである。（小さな漏斗を用いて）これを屋内で行うことはたやすいかも知れないが、旅行中もしくはハイキングなどの野外活動中には極めて困難である。さらに、このような「屋外の（on the go）」混合では、消費者はボトルとドリンクミックスとを別々に持ち運ぶ必要がある。また、水またはドリンクミックスの量を不正確に計ってしまいやすく、そのため濃過ぎたり薄過ぎたりする飲み物ができてしまう。
【０００４】
当分野において、ビタミン、栄養素および他のサプリメントなどの飲料添加物を水などの液体に入れると不安定（volatile）になることが良く知られている。このような飲料添加物の有効性は、水中での時間とともに減少する。結果として、飲料メーカは、消費時または期限切れ時に最小限の有効性レベルを確保すべく、余分なビタミン、栄養素および他のサプリメントを加えることによってこの種の飲料の「栄養価を過剰に高める（over fortify）」必要がある。これにより、飲料生産者にとっては原材料の追加費用が発生し、飲料の保管寿命が著しく短くなるとともに、消費者にとってはこの種の飲料の有効性または栄養価が不確実になってしまう。
【０００５】
飲料添加物のための貯蔵部を備えるボトルまたは容器トップの一般概念は、当分野において周知である。この分野において様々な手段が述べられてきたが、各手段とも一つ以上の望ましくない面を有しており、その全てを克服することを試みたインスタントデバイスが設計されてきた。
【０００６】
この分野における１番目の欠点は、このようなキャップの多くが、添加物がボトル内に流れることを防ぐ障壁または空洞を有する形状の貯蔵部を備えていることである。この結果、消費者が飲み物の全ての成分を利用するためには、無用で余分な努力が必要となる。さらに、放出後にもキャップ内に添加物または流体の一部が残る可能性があるので、飲み物が非常に薄くなったり、または薬物や栄養素の場合であれば不正確な投与量または不正確な強度となることがあり得る。
【０００７】
この分野における２番目の欠点は、この種のキャップは通常、分離された貯蔵区画を備えているので、余分なコストおよび製品材料が必要になることである。
【０００８】
この分野における３番目の欠点は、この種のキャップが通常、複雑な構造を持つか複雑な動作をする切開または穴開けデバイスを備えることである。これはキャップの製造コストを増大させるし、切開または穴開けデバイスが危険なほど鋭利なものである場合もある。
【０００９】
この分野における４番目の欠点は、この種のキャップが十分な異物混入防止機構を有していないかまたは異物混入防止機構を持たないため、異物混入（tampering）に対して飲料添加物および／または流体がむき出しになっていることである。
【００１０】
この分野における５番目の欠点は、製造に必要な材料がかなり多くなる過度に大きな異物混入防止機構をこの種のキャップが備えていることが多い点である。このために廃棄物の量が増加し、また製造コストが増大する。
【００１１】
この分野における６番目の欠点は、貯蔵部の内容物が飲料内に早期に放出されてしまうことを防止するための十分な機構をこの種のキャップが備えていないことが多いことである。このため、ボトル内の流体に飲料添加物が時期尚早に加えられてしまうリスクが高まる。
【００１２】
この分野における７番目の欠点は、この種のキャップが早期の放出を防止するための大きな機構を備えていることが多く、キャップの容積および製造コストを増大させていることである。
【００１３】
この分野における８番目の欠点は、この種のキャップが通常、（運搬、振動、または不用意な混合などにより）かき混ぜられたときにキャップを通した水漏れを防止するためのシステムを備えていないか、またはそのようなシステムが不十分であることである。
【００１４】
この分野における９番目の欠点は、この種のキャップが通常、三つ以上のキャップ部品から構成されており、ボトルキャップの製造、組立および使用の複雑度とコストをかなり増大させていることである。
【００１５】
この分野における１０番目の欠点は、この種のキャップが通常、穴開けされなければならない別個の貯蔵部を備えており、この貯蔵部によってキャップの設計がより複雑になる（したがって作成および組立がより高価になる）ことである。
【００１６】
この分野における１１番目の欠点は、この種のキャップが通常は瓶詰め時にキャップが付けられるように意図されておらず、そのため長期間の保管／運搬に利用できないことである。このため、購入および運搬を別々に行う必要があり、キャップを長期間ボトルの上に置いておくことができない。
【００１７】
この分野における１２番目の欠点は、この種のキャップが通常は流体の中に落ちるように設計されたボトルキャップ機構を部分的に備えていることである。流体の中に落ちたボトルキャップ機構は、飲み物が消費されるときに窒息および安全上の問題を生じさせる。
【００１８】
この分野における１３番目の欠点は、この種のキャップは、キャップを外すためにかなりの身体的努力（例えば、力または栓抜きなどの機械装置）を必要とする場合が多い点である。
【００１９】
この分野における１４番目の欠点は、この種のキャップが通常、キャップとボトルとの間にシールを備えておらず、飲み物に異物を混入したりまたは他の方法で混ぜものをしたりすることが容易な飲み物を提供している点である。
【００２０】
この分野における１５番目の欠点は、この種のキャップが通常、困難なシールを破か無くてはならないプランジャー／穴開け機構を備えており、キャップの中身を流体容器の中に放出するためにユーザがかなりの力を加える必要がある点である。これは、子供や高齢者などの弱者には不向きである。
【発明の概要】
【発明が解決しようとする課題】
【００２１】
本文書は、当分野におけるこれらの欠点の全てではないが多くを克服することが望まれており、またこれまでに当分野で開示されていない以下に述べる追加の特徴を含む、実施形態を記載する。
【課題を解決するための手段】
【００２２】
本文書は、設計が簡易化され、キャップ、貯蔵部、穴開け機構、および安全シールが組み合わされたわずか二部品に頼る貯蔵ボトルキャップを提供する。この簡易化された設計では、キャップの製造時に原料がかなり少なくて済み、また組立の複雑さが減少する。これらの要因の両方とも、貯蔵ボトルキャップの製造コストを削減する。さらに、本文書に記載のキャップは、既存技術のキャップよりも消費者にとって使い易いものとなる可能性がある。
【００２３】
本文書のキャップは、貯蔵部と穴開け機構との組合せを利用して、最終的なボトルキャップを組み立てるのに必要な部品の数を減らすことができる。
【００２４】
本文書のキャップのさらなる達成は、三つの別個のシールおよび／またはロック機構の利用である。これは、飲料添加物および流体の異物混入、並びに流体内への飲料添加物の早期の放出を防止しようとするものである。第１は、キャップ外面状のプルタブロック／シールの組合せであり、これは穴開け機構を適切な位置に保持し、したがって穴開け機構／貯蔵部の取り外しや不測のかみ合いを防止する。第２のシールは、ボトル外面上のボトルキャップの基部に位置し、使用前にキャップが取り除かれることを防止する。第３のシールは、ボトル内部でボトルキップの基部に位置しており、貯蔵された飲料添加物の不測の放出を防止し、流体または他の環境因子との接触による汚染から飲料添加物を保護する。当分野で既知である他のキャップは、（不測に壊れたり、または開封前を偽装するように封じ直されたりさえするものを含めても）一つまたは二つのシールしか備えておらず、そのためボトルに簡単に異物混入されたり、または内容物が混合されたりする。本文書に記載のキャップのロックシールは、ロックシールを取り除くことなくプランジャーを嵌め込むことがほぼ不可能になる。当分野で既知の他のキャップは、機構を係合させて貯蔵部の内容物を放出するためにより大きな力を与えることをユーザに要求する。
【００２５】
本文書のキャップの別の態様は、貯蔵部と穴開け機構とが、貯蔵される材料（または混合／撹拌によりできる流体）が留まりうるような空洞すなわち空の領域を作らない。これによって使用がさらに簡単に（振動／混合に求められる激しさが少ない）なり、貯蔵部に貯蔵されている内容物の投与がより正確になる。
【００２６】
本文書のキャップは、ボトルキャップを通して流体が漏出することを防止するようにされた構造をさらに開示する。この構造は、通常は追加の材料を利用してくさび状のものを形成する必要のある従来技術とは異なる。この種のデバイスにプランジャーを押し付けると、プランジャーはロックされた位置へと移動する必要があり、キャップを通して流体が漏出することを防止する。本文書のキャップは、かなり小さな力しか要しないもののキャップ内に完全な流体障壁を作る方法を利用する。
【００２７】
〔概要〕
もう一方の環状部に滑動するように受け入れられ、穴開け可能なシールによって封鎖される囲まれた貯蔵部をその間に画成する環状部を備えた、ボトルに取り付けるためのシールされた貯蔵部キャップが開示される。
【００２８】
本文書は、キャップ、貯蔵部および穴開け機構の組合せに対して二つの主要な部品を使う簡易化された設計を持つ、飲料添加物用の貯蔵ボトルキャップを提供する。この簡易化された設計のため、キャップの製造に必要となる原材料がかなり少なくなり、また組立の複雑さも減少する。本文書のキャップは、二つの部品を組合せてロックする方法を開示する多数の限定的でない異なる実施形態を含むとともに、環境、他の飲料添加物あるいは個人による異物混入、露出、汚染および他の混ぜものを防止するために、飲料添加物および瓶詰めされた流体を安全、無菌かつ確実に封をする多種多様の安全機構を含む。
【図面の簡単な説明】
【００２９】
【図１Ａ】本文書の第１実施形態の断面分解図であり、本文書に開示されたキャップの二つの部品を示す図である。
【図１Ｂ】本文書の第１実施形態の分解斜視図であり、本文書のキャップの二つの部品を示す図である。
【図１Ｃ】本文書のキャップの第１実施形態の外側斜視図であり、穴開け機構をかみ合わせて飲料添加物を流体内に放出する前の結合されたキャップの二つの部品を示す図である。
【図１Ｄ】本文書のキャップの第１実施形態の断面拡大斜視図であり、結合され飲料添加物が詰められたキャップの二つの部品を示す図である。
【図１Ｅ】本文書のキャップの第１実施形態の断面図であり、穴開け機構をかみ合わせて飲料添加物を流体内に放出する前の、結合され飲料添加物が詰められボトルの頂部に配置されたキャップの二つの部品を示す図である。
【図１Ｆ】本文書の第１実施形態の断面図であり、結合され、飲料添加物が詰められ、ボトルの頂部に配置され、かみ合わされて全てのシールを破り飲料添加物をボトル内に放出する本文書のキャップの二つの部品を示す図である。
【図２Ａ】本文書のキャップの第２実施形態の分解断面図であり、キャップの二つの部品を示す図である。
【図２Ｂ】本文書のキャップの第２実施形態の分解斜視図であり、キャップの二つの部品を示す図である。
【図２Ｃ】本文書のキャップの第２実施形態の斜視図であり、穴開け機構をかみ合わせて飲料添加物を流体内に放出する前の結合されたキャップの二つの部品を示す図である。
【図２Ｄ】本文書のキャップの第２実施形態の断面拡大斜視図であり、穴開け機構をかみ合わせて飲料添加物を流体内に放出する前の結合されたキャップの二つの部品を示す図である。
【図３Ａ】本文書の第３実施形態の分解断面図であり、キャップの二つの部品を示す図である。
【図３Ｂ】本文書のキャップの第３実施形態の分解斜視図であり、キャップの二つの部品を示す図である。
【図３Ｃ】本文書のキャップの第３実施形態の斜視図であり、穴開け機構をかみ合わせて飲料添加物を流体内に放出する前の結合されたキャップの二つの部品を示す図である。
【図３Ｄ】本文書のキャップの第３実施形態の斜視図であり、穴開け機構をかみ合わせて飲料添加物を流体内に放出した後の二つの部品を示す図である。
【図３Ｅ】本文書のキャップの第３実施形態の断面斜視図であり、穴開け機構をかみ合わせて飲料添加物を流体内に放出した後の二つの部品を示す図である。
【図３Ｆ】本文書のキャップの第３実施形態の断面斜視図であり、穴開け機構をかみ合わせて飲料添加物を流体内に放出する前の結合されたキャップの二つの部品を示す図である。
【図４Ａ】本文書の第４実施形態の分解断面図であり、キャップの二つの部品を示す図である。
【図４Ｂ】本文書のキャップの第４実施形態の分解斜視図であり、キャップの二つの部品を示す図である。
【図４Ｃ】本文書のキャップの第４実施形態の斜視図であり、穴開け機構をかみ合わせて飲料添加物を流体内に放出する前の結合されたキャップの二つの部品を示す図である。
【図４Ｄ】本文書のキャップの第４実施形態の断面拡大斜視図であり、穴開け機構をかみ合わせて飲料添加物を流体内に放出する前の結合され飲料添加物が詰められたキャップの二つの部品を示す図である。
【図４Ｅ】本文書のキャップの第４実施形態の断面図であり、穴開け機構をかみ合わせて飲料添加物を流体内に放出する前の結合され飲料添加物が詰められボトルの頂部に配置されたキャップの二つの部品を示す図である。
【図４Ｆ】本文書の第４実施形態の断面図であり、結合され、飲料添加物が詰められ、ボトルの頂部に配置され、かみ合わされて全てのシールを破り飲料添加物をボトル内に放出するキャップの二つの部品を示す図である。
【発明を実施するための形態】
【００３０】
〔定義〕
別に定義されない限り、本明細書で使用される全ての技術用語および科学用語は、この文書が属する分野において通常の能力を有する者によって共通に理解されるのと同じ意味を有する。一般に、以下で述べる本明細書で使用される用語体系、装置および構成部品の製造手順は、当分野において周知であり普通に利用されている。これらの手順には、当分野で提供され多種の一般参考文献があるような従来の方法が使用される。用語が単数形である場合、発明者はその用語の複数形も考慮に入れている。頂部、底部、下側、上側、〜の上、〜の下、〜の中に、〜から外へ、上方へ、下方へ、および他の方向を表す用語は限定ではなく、単に基準点として使用される。また、本文書の開示および実施形態において明らかなように、代替的な配列、配置、基準点を使用してもよい。この開示を通して利用されているように、以下の用語は、他に指示されない限り、（明らかな改良は考慮されるものの）以下の意味を有すると理解されなければならない。
【００３１】
「飲料添加物」とは、ビタミン、ミネラル、サプリメント、医薬（medication）、薬剤（medicine）、薬物（drug）、アミノ酸、電解質、酵素、栄養素、繊維、抗酸化物質、プロテイン、食物、野菜、果実、ベリー類、植物、花、藻、木の実、ハーブ、茶葉、種子、樹皮、根、汁、葉、木、草、香味料、甘味料、飲料濃縮物、化学添加物、コーヒー、カフェイン、アルコールを意味し、粉末、流体、または固体の全ての状態を含む。
【００３２】
「ボトル」とは、流体および液体を保持するための携帯用の容器を意味し、首と口を有し、限定ではないがガラスまたはプラスチック等の通常は不浸透性の材料で作られることで特徴づけられる。
【００３３】
「キャップ」とは、保護用のカバーまたはシールであり、特にボトルの端部、開口部または先端を封じるものを意味する。
【００３４】
「区画（compartment）」とは、より大きな囲まれた領域内で分割された部分または室を意味する。
【００３５】
「流体」とは、人間が消費または摂取可能であるか否かに関わらず、任意の液体または液状物質を意味しており、水、ジュース、ドリンク、飲料、茶、化学薬品および溶剤を含むが限定ではない。
【００３６】
「貯蔵部（reservoir）」とは、流体、固体または粉末を貯蔵するための容器または室であり、複数の流体、固体または粉末を別々に貯蔵し保存するための一つ以上の別々の容器または室からなるものを意味する。
【００３７】
「シール（seal）」とは、物体に取り付けられるかまたは物体を構成する装置または構造であり、物体が開けられるときに破壊されなければならず、内容物に異物が混入されたりまたは内容物が変えられたりされてないことを保証するものを意味する。
【００３８】
本明細書で使用される他の技術用語は、様々な専門用語辞典で例示されているように、それらが使用される分野における通常の意味を有する。
【００３９】
本文書は、安全に封がされた貯蔵区画ボトルキャップを開示する。ボトルキャップは、連結し合うように適合する二つの部品（上部および底部）から構成されることが好ましい。底部は、上部を受け入れる室、ボトムシール、ねじ蓋式の容器に固定される面、ねじ蓋シール、およびロックシールを備える。上部は、飲料添加物を受け入れ貯蔵するための貯蔵部を備える。上部の貯蔵部の形状により、貯蔵部は、シールを破るための穴開け部材として機能する。両方の部品とも、あらゆる光による飲料添加物の劣化を阻止する不透明の材料で構成されることが好ましい。二つの部品が互いに適合されると、熱、湿気、空気および他の環境要因による飲料添加物の劣化を複数のシールが防ぐ。シールは、ボトル内の流体が時期尚早に飲料添加物と混合されることをさらに防ぐ。両方の部品とも、射出成形または同様のプロセスによりプラスチック等の材料から加工されることが好ましい。しかしながら、当業者は、ポリマー樹脂、紙、ガラス、ゴム、シリカ、カーボン、金属、またはこれらの材料（プラスチックを含む）の組合せを限定でなく含む他の材料を利用して本文書の利点を実現できることを認めるだろう。
【００４０】
底部５の第１実施形態を図１に示す。図１Ａに表される底部５は底部５の断面図であり、図１Ｂは底部５の外観図である。底部５は、外壁４８によって形成された中空区画１０からなり、上部７０を受け入れる開口部１５をその頂部に有している。底部５は、好適には三角形状である複数のリング３０を備える。リング３０は、上部７０と底部５とが適合されたとき両者の間の隙間６５を通って飲料添加物１７０およびボトルの流体１８０が上ってくることを防いでいる。リング３０は、底部の内壁５８に沿って区画１０の底の方を向いており、制御を最大化し、製造に要する追加の原材料を最小化し、キャップ１の封止を最大化し、リング３０と接触する穴開け機構７５の移動に必要な労力を最小化するような態様で間隔を空けて配置される。
【００４１】
区画１０の底２０にはシール２５がある。シール２５は、飲料添加物１７０の早期の放出を防止するとともに、飲料添加物１７０とボトル１６０内の流体１８０に異物混入されたりまたは他の方法で汚染されないようにしている。上記のボトムシール２５は当分野で周知のものと同様であり、牛乳およびジュースを収容するハーフガロンのカートンのプラスチック製注ぎ口に使われている。シール２５は、温度、圧力、湿度の変化および遭遇しうる他の環境変動を考慮して、飲料添加物の不測の放出を防止するのに必要な特定の厚さにされている。上記ボトムシール２５は周縁部の周りは厚さが薄くされ、弱いライン２８を形成している。これにより、シール２５は、ボトルキャップ１の他の構成部品によって押されるまでシールされた状態を維持できる。シール２５を破る（その結果、飲料添加物１７０が瓶詰めの流体１８０とを混合する）ために必要な力は、飲料添加物１７０と瓶詰めの流体１８０との使用目的に応じて異なってよい（例えば、移動用には強いシール、子供や高齢者向けには弱いシール）。さらに、シール２５を破るために必要な力は、本文書で具体化される穴開け機構７５の種類（例えば、ねじ機構またはプランジャー機構）に応じて異なってもよい。
【００４２】
底部５は、リングまたはねじ山（thread）３５を用いてボトルキャップ１をボトル１６０にねじ込めるようにしている外壁４８をさらに含む。このようなリングまたはねじ山３５のようなねじ蓋機構は当分野で周知である。外壁４８の基部またはその近傍では、弱いライン４５がねじ蓋シール４０から外壁４８を分離している。ボトル１６０から取り外すためにボトルキャップ１をひねると弱いライン４５が破れ、ねじ蓋シール４０が弱いライン４５に沿ってボトルキャップ１から分離する。弱いライン４５は、出荷、瓶詰め、運搬などにより生じうるわずかなねじれで弱いライン４５が破れることがないような、しかし弱いライン４５を破ることなくしてはボトルキャップ１を取り除くことができないような特定の強度にされる。弱いライン４５およびねじ蓋シール４０は、飲料添加物１７０と流体１８０が新鮮であり、早期に放出されたり、露出されたり、汚染されたりあるいは他の方法で品質が落ちていないことをさらに保証する。
【００４３】
底部５の区画開口部１５またはその近傍には、バリア面６０が配置される。バリア面６０は、飲料添加物１７０をボトル１６０内に放出するために押されたとき上部７０の下降移動を停止する。バリア面６０に隣接して、切り欠き溝５０がある。切り欠き溝５０は、リング９０を受け入れ、上部７０を底部５に固定するのに十分なサイズを持つ凹んだ領域である。切り欠き溝５０およびリング９０は、全体として三角形の形状であることが好ましい。しかしながら、四角形、丸型、または他の形状の溝およびリングも本願の発明者により予測されている。
【００４４】
上部５の頂部には、ロックシール５５がある。ロックシール５５は、上部７０が時期尚早に底部５の中に押し込まれることを防止する。（図１に示すような離脱プルタブハンドルによるなどして）ロックシール５５が取り除かれると、上部７０を底部５の中へと自由に押し下げられるようになる。図１Ｄに示すように、ロックシール５５は正確な高さを持つ。ロックシール５５が取り除かれると、この高さも除かれ、今取り除かれたロックシール５５によって表される方向へと上部７０が下方へ自由に移動するようになる。（角度が付けられた円形エッジ１００の傾き角に沿った）この距離は、上部７０がバリア面６０上で休止し、リング９０が切り欠き溝５０内に固定されるのに必要な距離と正確に一致するか、または完全ではないがおおよその距離である。この距離はさらに、穴開け機構７５が弱いライン２８でボトムシール２５を部分的に（しかし完全でなく）破いて開くための距離と正確に一致するか、またはおおよそ十分な距離である。ロックシール５５の高さによって表されるこの距離のために、穴開け機構７５はボトムシール２５を破り開くが、弱いライン２８の全体を完全に分断または破ることはない。弱いライン２８の一部が破られないで残ることで、ボトムシール２５は底部５に部分的にくっついている。このため、ボトムシール２５がボトル１６０の中に落ちて窒息や他の安全上の問題を引き起こすことなく、飲料添加物１７０をボトル１６０の中に放出するのに十分な距離だけ移動する。
【００４５】
ボトルキャップ１の第１実施形態が図１に開示される。図１Ａの上部７０は上部７０の断面図を表し、図１Ｂは上部７０の外観図である。上部７０は、外壁８０により形成される中空の穴開け機構７５を備え、穴開け機構７５の底には角度の付いた円形エッジ１００を有する。角度の付いた円形エッジ１００は、ロックシール５５が取り除かれ上部７０が底部５の中に押されるとき、角度の付いた円形エッジ１００が弱いライン２８の全てではないが大半を突き破りボトムシール２５を開封するのに必要な傾き角度である。これにより、ボトムシール２５は弱いライン２８で底部５と部分的にくっつくことができ、窒息や他の安全上の問題を引き起こすボトムシール２５がボトル１６０の流体１８０内に落ちないようにする。
【００４６】
上部７０は、上部７０が押されたときにバリア面６０上で停止するバリア面８５をさらに備える。これは、上部７０が底部５の中に押し込まれ過ぎる（その結果、ボトムシール２５がボトル１６０内に落ちることにつながる）のを止める一つの部品である。上述したように、バリア面８５の近傍またはバリア面８５に隣接して、上述した切り欠き溝５０内に固定されるリング９０がある。上部７０はさらにキャップトップ９５を備える。キャップトップ９５は、飲料添加物１７０への異物混入または他の品質低下を防止するのに十分な厚さと強度を有する。
【００４７】
図１Ｃは、飲料添加物１７０（図示せず）で満たされている上部７０の外観図であり、上部７０は底部５と結合されている。ロックシール５５が、上部７０の底部５内への時期尚早な押し込みを防止する。キャップトップ９５は、人が扱い易いように図１Ｃに示すような溝（または他の加工された表面）を備えていてもよい。
【００４８】
図１Ｄはボトルキャップ１の断面図であり、上部７０は飲料添加物１７０で満たされており、底部５に結合されている。この断面図は、ロックシール５５が、底部５の中に押し込まれるときに上部７０が移動するのに必要な距離を支配するサイズであることを明示している。図１Ｄは、上部７０と底部５が結合されたとき両者の間にある隙間６５をさらに示す。これにより、上部７０が底部５の中へと押し下げられるとき、上部７０の動きの邪魔を取り除くことができる。図１Ｄは、全体的に三角形断面であるリング３０をさらに示す。リング３０は、ボトムシール２５が破られたときに、ボトル１６０内の流体が隙間６５を通して上昇してくるのを防止する役割を果たす。これは、上部７０が底部５の中に押し込まれた後、流体がキャップから漏れるのを防ぎ、またボトル１６０を好ましくは振ることで飲料添加物１７０を流体１８０と混ぜるときの漏れをさらに防止する。リング３０は、飲料添加物１７０を封止し露出を防ぐ。
【００４９】
図１Ｅは、底部５、上部７０および飲料添加物１７０を含むボトルキャップ１の全体を示し、ボトルキャップはボトル１６０にねじ込まれている。飲料添加物１７０はボトルキャップ１内に封止されている。ボトル１６０内に流体１８０が充填され、殺菌されおよび／または低温殺菌された直後に、ボトルキャップ１がボトル１６０上に配置される。製造中にボトル１６０の上にボトルキャップ１を配置することで、ボトルキャップ１およびボトル１６０の内容物が可能な限り清潔かつ無菌の状態に保たれる。図１Ｅは、ロックシール５５が取り除かれる前のボトルキャップ１を表している。
【００５０】
図１Ｆは、ロックシール５５が取り除かれた後のボトルキャップ１を示す。上部７０が底部５の中に押し下げられており、これにより角度の付いた円形エッジ１００がボトムシール２５の中へと押されて弱いライン２８に沿って部分的にシールを分離し、（区画１０および穴開け機構７５の中空の中央部に貯蔵された）飲料添加物１７０がボトル１６０の中に出されて流体１８０（図示せず）と混ざる。
【００５１】
図２は、ボトルキャップ１の第２の別の実施形態を示す。図１および図２を比較することで明らかとなるように、図２で特定される構成要素を除き、ボトルキャップ１のほとんど全ての部分は各実施形態で同一である。図２Ａの断面図に示すように、上部７０のキャップトップ９５の外面１０５が第１実施形態とは異なる。これにより、底部５の溝１１３と連結するように適合する切り欠き１１０の形成が可能になる。上部７０が底部５の中に押圧されるすなわち押し下げられると、トップキャップ７０の水平移動が切り欠き１１０と溝１１３の結合によって停止される。この代替的な結合方法により、製造に要する原材料が少なく、また様々な人にとってかみ合わせのしやすい別個のボトルキャップ１の設計が可能になる。この代替実施形態はさらにボトルキャップ１の重量を減らし、これによって出荷コストが低減される。この代替実施形態はさらに、外面１０５により大きな溝付きのつかみ面を形成するので、子供や高齢者などの力の弱い人たちにとってより使い易くなる。図２Ｂは、図２Ａと同様の構成要素を外面から示す図である。図２Ｃは、ロックシール５５を除去する前の、底部５と結合された上部７０の外観図を示す。図２Ｄは、ロックシール５５が取り除かれたボトルキャップ１の断面図であり、上部７０が底部５の中へと押されており、切り欠き１１０が溝１１３と係合して上部７０と底部５とを係止している。部分的にくっついているボトムシール２５は図示されていない。
【００５２】
図３は、ボトルキャップ１の第３の代替的な実施形態を示す。図１と図３を比較することで明らかなように、図３で特定される構成要素を除き、ボトルキャップ１のほとんど全ての部品はそれぞれの実施形態で同一である。このボトルキャップ１の代替実施形態は、上部７０を底部５の中に動かしてボトムシール２５を破るためのねじ込み方法を開示する。この代替実施形態はさらに、上部７０の不測の係合を保護し、飲料添加物１７０のボトル１６０内への時期尚早な放出を防止する。この代替実施形態はさらに、ボトルキャップ１の他の実施形態で明示したように、弱いライン２８でボトムシール２５を部分的に分離するのに十分な力で上部７０を底部５の中に押し下げることが困難である人たちによる使用を容易にする。図３Ａの断面図に示すように、ねじ込み機構は上部７０の代替的なキャップ外面１１５によって実現される。キャップ外面１１５は、同心のリング１２０とツイストロック１２３とで構成される。底部５は延長された上壁１２５を有しており、このため本文書の他の実施形態よりも底部５が大きくなっている。この延長された上壁１２５は同心のリング１３０を備える。リング１３０は上壁１２５の基部またはその近傍から始まり、ねじ込み機構の案内リングを形成する。図３Ｂに示すように、同心のリング１３０は角度の付いた状態で延長された上壁１２５の外部端周りを包囲する。図示されないが、図３Ｂの裏側は、同心のリング１３０が一つの連続的な単一リングを形成することを完全に示している。延長された上壁１２５は、複数のツイストロック歯１３５をさらに含む。ツイストロック歯１３５は、一側がわずかに傾き、他側が軸に沿って垂直またはほぼ垂直となるように形成されることが好ましい。ツイストロック歯は、全て同一の高さであってもよいし、または所望の結果を得るために異なる高さであってもよい。ツイストロック歯は、同一の結果を得るために異なる角度を有していてもよい。ツイストロック１２３およびツイストロック歯１３５の望ましい目的は、ツイストロック歯１３５の角度の付いた表面を越えてツイストロックが一方向に通過できるが、ツイストロック歯１３５が反対方向に動くことを防止するような角度に、ツイストロック歯１３５の角度を設定することである。ツイストロック歯１３５は、製品、製造者、生産者、目標市場等のニーズに応じて、上部７０の時計回りまたは反時計回りの回転を容易にするような角度にされてもよい。ロックシール５５が取り除かれ、上部７０がひねられ、ツイストロック１２３がいくつかのツイストロック歯１３５の上を通過すると、上部７０を元の位置にひねることはできない。これにより、ボトルキャップ機構１が一度だけ係合することが保証され、また飲料添加物またはボトル内に収容された流体への異物混入が防止される。各個人は、ボトルキャップの握りおよびひねりを容易にするよう上部外面１１５に付けられた溝または他の加工された面を用いて、上部７０をひねり続ける。
【００５３】
図３Ｂは図３Ａに示した部品の外部斜視図である。図３Ｃは、ロックシール５５を取り除く前の、上部７０に収容された飲料添加物１７０（図示せず）と下部５とを有するボトルキャップ１を示す。図３Ｄは、ロックシール５５が取り除かれ、上部７０が十分に押し下げられるまで上部７０がひねられた後のボトルキャップ１を示す。これにより、穴開け機構７５が弱いライン２８でボトムシール２５を部分的に分離し、飲料添加物１７０とボトル１６０内に放出する。図３Ｅは図３Ｄの断面図であり、図３Ｆは図３Ｃの断面図である。ボトムシール２５は、図３Ｄ、図３Ｅ、図３Ｆには示されていない。
【００５４】
図４は、ボトルキャップ１の第４の代替実施形態を示す。図１および４の比較から明らかなように、図４で特定される構成要素を除き、ボトルキャップ１のほぼ全ての部品は各実施形態で同一である。図４Ａの断面図に示すように、上部７０のキャップトップ９５外面１４０は第１実施形態のものと異なる。これにより、下部５のリング１５０および凹んだ溝１５５と相互に適合するリング１４５の形成が可能になる。上部７０が下部５の中に押圧されるすなわち押し下げられると、リング１４５とリング１５０および溝１５５との係止によってトップキャップ７０の水平移動が止められる。この代替結合方法により、製造に要する原材料が少なく、また様々な人にとって係合させやすいボトルキャップ１の異なる設計が可能になる。この代替実施形態はさらにボトルキャップ１の重量を減らし、このため出荷コストが低減される。代替実施形態はさらに、外面１４０により大きな溝付きの（または他の加工がされた）握り面を形成し、子供や高齢者などの弱い人々による使用をさらに容易にする。図４Ｂは、図４Ａと同一の構成要素の外面図を示す。図４Ｃは、ロックシール５５を取り除く前の、下部５と結合された上部７０の外面図である。図４Ｄは、図４Ｃの外面図の断面図である。
【００５５】
図４Ｅは、下部５、上部７０、および飲料添加物１７０からなり、ボトル１６０にねじ込まれたボトルキャップ１の全体を示す。飲料添加物１７０はボトルキャップ１の中に封止されており、ボトル１６０内の流体１８０が充填され、殺菌され、および／または低温殺菌された直後にボトルキャップ１がボトル１６０上に配置される。製造中にボトル１６０上にボトルキャップ１を配置することで、ボトルキャップ１およびボトル１６０の内容物が可能な限り清潔かつ無菌の状態に保たれる。図４Ｅは、ロックシール５５の取り除かれる前のボトルキャップ１を示す。
【００５６】
図４Ｆは、ロックシール５５が取り除かれた後のボトルキャップ１を示す。上部７０が底部５の中へと押し下げられ、このため角度の付いた円形エッジ１００がボトムシール２５の中へと押され、弱いライン２８に沿って部分的にボトムシールを分離する。その結果、（区画１０および穴開け機構７５の中空の中央部に貯蔵された）飲料添加物１７０がボトル１６０の中へと放出され、流体１８０（図示せず）と混合される。図４Ｆは、リング１４５がリング１５０および凹んだ溝１５５と係合し、上部７０と下部５とを係止する様子をさらに示す。
【００５７】
本文書のこれらの態様は、本明細書に記載された他の態様と同様に、本明細書に記載された方法、製造の項目および物質の構成を用いて実現することができる。本文書の範囲を完全に認識するため、本文書の様々な態様を組合せて本文書の望ましい実施形態を形成できることをさらに認めることだろう。
【００５８】
〔実施例〕
以下、本文書の限定的でない実施例を述べる。瓶詰め水の生産者は、香味料、果実濃縮物、甘味料、ビタミン、ミネラルおよびハーブ系サプリメントを含む飲料添加物を水に添加したいと望んでいる。生産者は、瓶詰め水の製造時に飲料添加物を水と混合することを望んではいない。なぜなら、飲料添加物の風味は、水に混ぜると、プラスチックボトルへの長期にわたる暴露の間に味が変化することがあるためである。さらに、水とフレーバー付きドリンクミックス（任意の甘味料を含む）は、ビタミンおよびハーブ系サプリメントを劣化させることがある（ビタミンＣなどの一部のケースでは急速に劣化させる）。そのため、瓶詰めの水の生産者は、飲料の製造時に余分なビタミンおよびハーブ系サプリメントを添加する必要があり、コストを押し上げる。ラベルに表示されたビタミンおよびハーブ系サプリメントの量が飲料中に存在する間よりも短い所定の期限（賞味期限）の後、飲料の補完寿命が短くなる。
【００５９】
本文書のキャップを使用することで、瓶詰め水の生産者はボトルキャップの貯蔵部内で飲料添加物を貯蔵することができる。熱、光、空気、湿気、および飲料添加物の成分の品質と強度を劣化させうる他の環境事項から遠ざけられた状態で、成分が乾燥したまま封止される。本文書により作成されたような、乾燥し、涼しく、封止され、湿度が低く暗い環境で保管されると、飲料添加物は著しく長い期間にわたりその品質および強度を保持する。
【００６０】
本文書によりさらに、瓶詰め水の生産者はボトル内の水を殺菌し、濾過し、低温殺菌することができる。飲料添加物が存在するときにそのようなことをすると、ドリンクミックス、ビタミン、ハーブ系サプリメントおよび他の飲料添加物の強度、品質および効能を低下させることがある。本文書により、瓶詰め水の生産者は、乾燥した成分の安全性を最大化することとは別に、水の安全性を最大化することができる。
【００６１】
殺菌（または他の保護され安全な）環境において組立ラインシステムまたは同様の装置を用いて、水に添加される所定量の複数の飲料添加物で本文書のキャップの上部が充填される。飲料添加物が上部に加えられると、底部が上部に結合される。全てのシールが適切な位置に留まり、飲料添加物を保護し、飲料添加物が環境またはボトルの中へと早期に放出されないようにする。
【００６２】
同時に、組立ラインまたは同様の処理装置を通して殺菌されたボトル内に水が入れられる。水は、最高度の純度基準まで濾過、加熱または他の方法で清浄にされる。
【００６３】
続いて、キャップの全体が水ボトルにねじ込まれる。これは、堅固な（したがって安全な）封止を実現するが、いずれの安全シールをも破断しない程度の強さで行われる。続いて、キャップが取り付けられた水ボトルは、安全性および他の因子についてチェックされ、その後出荷のために包装される。
【００６４】
キャップが取り付けられたボトルの購入時に、消費者は全ての安全シールが無傷のままであるかを素早く判断することができる。無傷であれば、消費者はロックシールを取り除き、押し込みまたは代替実施形態におけるねじ込みのいずれかによって、キャップの上部をキャップの底部の中へと押し下げる。キャップの上部が下方に移動すると、穴開け機構が弱いラインに沿ってボトムシールを部分的に破断する。これにより、乾燥した飲料添加物を下方のボトル内の水中へと放出させることができる。ボトム安全シールは、窒息または他の安全状の問題を防止するために、弱いラインの一部で取り付いたままである。消費者は、下部の適所に上部がカチッとはまるすなわち係止されると、上部の移動を止める。消費者は、ボトル内の成分を振るかまたは他の方法でかき混ぜて、飲料添加物を水に混合させる。成分の混合が終わると、消費者は（上部と下部とが互いに係止されている）ボトルキャップ全体を回して外し、混合された飲料を楽しむ。
【００６５】
本文書のキャップの別の実施例は、ボトルキャップ貯蔵部が、乾燥した飲料添加物を別々に貯蔵および保管できるいくつかの室に分割されている。さらに、ボトルキャップを用いて複数の液体飲料添加物を貯蔵することもできるし、液体飲料添加物と乾燥した飲料添加物の両方を同時に貯蔵することもできる。
【００６６】
本文書のキャップの別の実施例では、飲料はジュースまたは茶である。
【００６７】
本文書のキャップの別の実施例では、上部を押圧する前にボトルキャップの全体が取り外され、ボトルの内容物がストーブ、電子レンジまたは他の加熱装置で加熱される。続いてボトルキャップが再び取り付けられ、上部が底部の中に押し下げられ、目的の飲料の必要性に応じて温水または湯に飲料添加物が加えられる。
【００６８】
本文書のキャップの別の実施例では、キャップの中に貯蔵された内容物を、酸化、湿気、光、空気、および貯蔵されている物質の品質および強度を低下させうる他の要素から可能な限り保護するための材料でキャップが構成される。
【００６９】
概要として、本明細書で開示される要素の一部は以下の通りである。
【００７０】
１番目の概念として、この文書は安全に封がされた貯蔵用ボトルキャップを教示する。
【００７１】
２番目の概念として、この文書は、第１部分、第２部分および取り外し可能なシールからなるキャップであって、第２部分はその中に貯蔵部を含み、取り外し可能なシールによって第１部分が第２部分に接続されるキャップを教示する。
【００７２】
３番目の概念として、この文書は、第１部分、貯蔵部をその中に含む第２部分、取り外し可能なシールからなるキャップであって、取り外し可能なシールによって第１部分が第２部分に接続され、第１部分と第２部分がそれぞれ中空領域を画成し、第１部分と第２部分のそれぞれが一端で閉鎖されており、第１部分と第２部分の中空部内に貯蔵部が位置するように第２部分の中空部内で第１部分が滑動可能であり、第２部分の閉口端の一部として機能可能な閉口端の反対側に第１部分がエッジを有している、キャップを開示する。
【００７３】
４番目の概念として、この文書は、容器の開口部に接合されたとき、キャップがその容器の開口部を封止することを特徴とする、前述の概念のいずれかに記載のキャップを教示する。
【００７４】
５番目の概念として、この文書は、内容物を異物の混入から保護するための材料で構成されることを特徴とする、前述の概念のいずれかに記載のキャップを教示する。
【００７５】
６番目の概念として、この文書は、取り外し可能なシールが取り除かれたとき、前記第１部分が前記第２部分に対して押し付けられて第２部分の閉口端の一部を分離し、これによって第２部分の閉口端を通して前記貯蔵部にアクセス可能となることを特徴とする、前述の概念のいずれかに記載のキャップを教示する。
【００７６】
７番目の概念として、この文書は、キャップがかぶさる容器と係合するための係合手段を第２部分が有することを特徴とする、前述の概念のいずれかに記載のキャップを教示する。
【００７７】
８番目の概念として、この文書は、安全シールが取り除かれ第１部分が第２部分に対して押し付けられたときに、第１部分と第２部分とを係合させる係止手段を第１部分および第２部分が有することを特徴とする、前述の概念のいずれかに記載のキャップを教示する。
【００７８】
９番目の概念として、この文書は二つの部分と三つのシールで構成されるキャップを教示する。
【００７９】
１０番目の概念として、この文書は、二つの部分と三つのシールで構成されるキャップであって、二つの部分が、底部と、底部に対してシールされた状態で接続可能である上部とであり、三つのシールが、第１部分と第２部分とを互いに接続する第１の取り外し可能なシールと、底部の壁面を構成し前記上部によって前記底部から一部が分離可能である第２のシールと、前記第１部分と前記第２部分に関連する係合手段であって、前記第１のシールの除去時に、前記係合手段を通して前記第１部分と前記第２部分が接合され、前記第２部分に対して前記第１部分を封止保持可能である係合手段とである、キャップを教示する。
【００８０】
１１番目の概念として、この文書は一体的に構成可能であるキャップを考慮に入れている。
【００８１】
１２番目の概念として、この文書は、三つ以上の部分で構成可能であるキャップを考慮に入れている。
【００８２】
１３番目の概念として、この文書は、二つの部分と三つのシールで構成されるキャップであって、二つの部分が、底部と、底部に対してシールされた状態で接続可能である上部とであり、三つのシールが、第１部分と第２部分とを互いに接続する第１の破れやすいシールと、底部の壁面を構成し前記上部によって前記底部から一部が分離可能である第２のシールと、前記第１部分と前記第２部分とに関連する係合手段であって、前記第１のシールが破られたときに、前記係合手段を通して前記第１部分と前記第２部分とが接合され、前記第２部分に対して前記第１部分を封止保持可能である係合手段とである、キャップを教示する。
【００８３】
１４番目の概念として、シールされた貯蔵キャップは、一端にキャップがされており、外径上の第１突起部と第１凹部とが形成された第１中空部と、前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部であって、内径の周囲の第２突起部と前記第１突起部を受け入れる第２凹部とで前記第２中空部が形成されており、前記第１中空部の外径上の前記第１凹部に対して前記第２突起部が係合することによって封止される第１環状空間を前記二つの中空部の間に画成する、第２中空部と、前記第２中空部の外側に配置されしっかりと取り付けられ、二つの中空部の間に第２環状空間を形成する環状部であって、前記第２環状空間のボトルネック部とねじ込み式で係合して前記穴開け可能なシールをボトル内に配置するように内径の周りに延びるねじ山で形成された環状部と、を備える。
【００８４】
１５番目の概念は、キャップのされていない端部が前記穴開け可能なシールの一部を押しのけるように、前記穴開け可能なシールが弱い分割ライン（scored line）を有することを特徴とする、前述の概念のいずれかに記載のキャップである。
【００８５】
１６番目の概念として、キャップのされていない端部が楕円で形成されることを特徴とする、前述の概念のいずれかに記載のキャップである。
【００８６】
１７番目の概念として、前記閉鎖された貯蔵部内での内容物の劣化を防止するように選択された材料で製造されることを特徴とする、前述の概念のいずれかに記載のキャップである。
【００８７】
１８番目の概念として、前記閉鎖された貯蔵部が乾燥した内容物または液体内容物を収容することを特徴とする、前述の概念のいずれかに記載のキャップである。
【００８８】
１９番目の概念として、前記穴開け可能なシールの除去時に、前記閉鎖された貯蔵部の内容物が放出されることを特徴とする、前述の概念のいずれかに記載のキャップである。
【００８９】
２０番目の概念として、前記第１中空部、前記第２中空部および前記環状部が一つの連続する材料片であることを特徴とする、前述の概念のいずれかに記載のキャップである。
【００９０】
２１番目の概念として、前記第１中空部、前記第２中空部および前記環状部が二つ以上の材料片であることを特徴とする、前述の概念のいずれかに記載のキャップである。
【００９１】
２２番目の概念として、前記第１中空部および前記第２中空部の内部に二つ以上の閉鎖された貯蔵部が存在することを特徴とする、前述の概念のいずれかに記載のキャップである。
【００９２】
２３番目の概念として、シールされた貯蔵キャップは、一端にキャップがされた第１中空部と、前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部と、前記二つの中空部を軸方向に固定し間隔の離れた状態に保持する取り外し可能な環状シールであって、該取り外し可能な環状シールを取り外すと、前記第１中空部を前記第２中空部の中へと押し込み、係止手段と前記第１中空部のキャップのされていない端部とを係合させて前記穴開け可能なシールを押しのけられるようになる、取り外し可能な環状シールと、前記第２中空部の外側に配置されしっかりと取り付けられ、二つの中空部の間に第１環状空間を形成する環状部であって、第２環状空間のボトルネック部とねじ込み式で係合し、前記穴開け可能なシールをボトル内に配置するように内径の周りに延びるねじ山で形成された環状部と、を備える。
【００９３】
２４番目の概念として、前記第１中空部が外径上に第１突起部をさらに備え、前記第２中空部が前記第１突起部を受け入れる第２凹部をさらに備え、前記第１中空部が前記第２中空部の中へと押し込まれるとき、前記第１突起部が前記第２凹部と係合して前記係止手段を形成することを特徴とする、前述の概念のいずれかに記載のキャップである。
【００９４】
２５番目の概念として、前記第１中空部が外径の周りに第１凹部を有するように形成され、前記第２中空部が内径の周りに第２突起部を有するように形成され、前記第１凹部内への前記第２突起部の係合によって封止される第２環状空間が前記二つの中空部の間に画成されることを特徴とする、前述の概念のいずれかに記載のキャップである。
【００９５】
２６番目の概念として、シールされた貯蔵キャップは、一端にキャップがされており、外径の周囲に第１凹部が形成された第１中空部と、前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部であって、内径の周囲に第２突起部がさらに形成されており、前記第１中空部の外径上の前記第１凹部に対して前記第２突起部が係合することによって封止される第１環状空間を前記二つの中空部の間に形成する、第２中空部と、前記二つの中空部を軸方向に固定し間隔の離れた状態に保持する取り外し可能な環状シールであって、該取り外し可能な環状シールを取り外すと、前記第１中空部を前記第２中空部の中へと押し込み、前記第１中空部のキャップのされていない端部が前記穴開け可能なシールを押しのけられるようになる、取り外し可能な環状シールと、前記第２中空部の外側に配置されしっかりと取り付けられ、二つの中空部の間に第２環状空間を形成する環状部であって、第２環状空間のボトルネック部とねじ込み式で係合し、前記穴開け可能なシールをボトル内に配置するように内径の周りに延びるねじ山で形成された環状部と、を備える。
【００９６】
２７番目の概念として、前記第１中空部が外径上に第１突起部をさらに備え、前記第２中空部が前記第１突起部を受け入れる第２凹部をさらに備え、前記第１中空部が前記第２中空部の中へと押し込まれるとき、前記第１突起部が前記第２凹部と係合して前記係止手段を形成することを特徴とする、前述の概念のいずれかに記載のキャップである。
【００９７】
２８番目の概念として、シールされた貯蔵キャップの形成方法であって、一端にキャップがされており、外径上に第１突起部と第１凹部とを有する第１中空部を形成するステップと、前記キャップのされた端部とは反対の軸方向に一端を封鎖する穴開け可能なシールを有し、前記第１中空部を内部に滑動可能に受け入れて二つの中空部の間に閉鎖された貯蔵部を画成する第２中空部を形成するステップと、前記第２中空部の内径の周囲に第２突起部を形成するステップと、前記第１突起部をその中に受け入れる第２凹部を形成するステップと、前記二つの中空部の間に第１環状空間を形成するステップと、前記第２突起部と前記第１凹部との係合によって前記第１環状空間を封止するステップと、前記二つの中空部を軸方向に固定し間隔の離れた状態に保持するように配置された取り外し可能な環状シールを形成するステップと、前記第１中空部が前記第２中空部の中へと押し込まれ、前記第１突起部が前記第２凹部へと受け入れられ、前記取り外し可能なシールを取り外すことで第１環状部のキャップのされていない端部が前記取り外し可能なシールを押しのけるようにするステップと、前記第２中空部の外側に配置されしっかりと取り付けられる環状部を形成して、二つの中空部の間に第２環状空間を画成するステップと、前記第２環状空間のボトルネック部と係合し、前記穴開け可能なシールをボトル内に配置するように、第３環状部の内径の周りに延びるねじ山を形成するステップと、を含む。
【００９８】
２９番目の概念として、  前記キャップのされていない端部が前記穴開け可能なシールの一部のみを押しのけるように弱いラインを付けるステップをさらに含む、前述の概念のいずれかに記載のシールされた貯蔵キャップを形成する方法である。
【００９９】
３０番目の概念として、前記キャップのされていない端部を楕円で形成するステップを含む、前述の概念のいずれかに記載のシールされた貯蔵キャップを形成する方法である。
【０１００】
３１番目の概念として、前記閉鎖された貯蔵部内部での内容物の劣化を防止するように選択された材料で前記シールされた貯蔵用キャップを形成するステップをさらに含む、前述の概念のいずれかに記載のシールされた貯蔵キャップを形成する方法である。
【０１０１】
３２番目の概念として、前記第１中空部、前記第２中空部および前記環状部が一つの連続する材料片であることを特徴とする、前述の概念のいずれかに記載のシールされた貯蔵キャップを形成する方法である。
【０１０２】
３３番目の概念として、前記第１中空部、前記第２中空部および前記環状部が二つ以上の材料片であることを特徴とする、前述の概念のいずれかに記載のシールされた貯蔵キャップを形成する方法である。
【０１０３】
３４番目の概念として、前記第１中空部および前記第２中空部によって画成される二つ以上の閉鎖された貯蔵部を形成するステップをさらに含む、前述の概念のいずれかに記載のシールされた貯蔵キャップを形成する方法である。
【０１０４】
３５番目の概念として、シールされた貯蔵用キャップをボトルに取り付ける前に、殺菌、濾過、低温殺菌およびそれらの組合せのグループから選択された一つをボトル容器の内容物に対して実行するステップをさらに含む、前述の概念のいずれかに記載のシールされた貯蔵キャップを形成する方法である。
【０１０５】
３６番目の概念として、前記ボトルの内容物と放出された貯蔵部の内容物を混合するステップをさらに含む、前述の概念のいずれかに記載のシールされた貯蔵キャップを形成する方法である。
【０１０６】
３７番目の概念として、前記取り外し可能なシールを取り外す前に、前記シールされた貯蔵用キャップを前記ボトルから取り除き、前記ボトル容器の内容物を加熱するステップをさらに含む、前述の概念のいずれかに記載のシールされた貯蔵キャップを形成する方法である。
【０１０７】
３８番目の概念として、前記二つの中空部を軸方向に固定し間隔の離れた状態に保持する取り外し可能な環状シールであって、該取り外し可能な環状シールを取り外すと、前記第１中空部を前記第２中空部の中へと押し込み、前記第１突起部が前記第２凹部に受け入れられ、前記第１中空部の前記キャップのされていない端部が前記穴開け可能なシールを押しのけられるようになる、取り外し可能な環状シールをさらに備える、１４番目の概念に記載のキャップである。
【図１Ａ】
2011500473.tif 000003
【図１Ｂ】
2011500473.tif 000004
【図１Ｃ】
2011500473.tif 000005
【図１Ｄ】
2011500473.tif 000006
【図１Ｅ】
2011500473.tif 000007
【図１Ｆ】
2011500473.tif 000008
【図２Ａ】
2011500473.tif 000009
【図２Ｂ】
2011500473.tif 000010
【図２Ｃ】
2011500473.tif 000011
【図２Ｄ】
2011500473.tif 000012
【図３Ａ】
2011500473.tif 000013
【図３Ｂ】
2011500473.tif 000014
【図３Ｃ】
2011500473.tif 000015
【図３Ｄ】
2011500473.tif 000016
【図３Ｅ】
2011500473.tif 000017
【図３Ｆ】
2011500473.tif 000018
【図４Ａ】
2011500473.tif 000019
【図４Ｂ】
2011500473.tif 000020
【図４Ｃ】
2011500473.tif 000021
【図４Ｄ】
2011500473.tif 000022
【図４Ｅ】
2011500473.tif 000023
【図４Ｆ】
2011500473.tif 000024
【国際調査報告】
2011500473.tif 000025
2011500473.tif 000026
2011500473.tif 000027